(57)【要約】【課題】施設における特定の区域の電力消費量を把握可能とすること。【解決手段】電源設備、空調設備及び通信設備を含む施設において計測された全体の電力消費量Ｗｘの履歴の中で小さい順に一部のＷｘを特定し、特定されたＷｘごとに、当該Ｗｘが計測された第１の期間における施設の所在地の気温に対応する空調効率Ｒａを特定し、通信設備の電力消費量Ｗｃを空調設備の電力消費量Ｗａで除した値が空調効率Ｒａであり、電源設備によるＷｘの損失率がＲｐである場合にＷｃ＋Ｗａ＋（Ｗｘ×Ｒｐ）＝Ｗｘであるという関係に対して、特定された各Ｗｘと、特定された各Ｒａとを当てはめて、施設における第１の区域を除く第２の区域における通信設備の電力消費量であるＷｃ'を算出し、履歴の中で第２の期間に対応するＷｘと、Ｗｃ'と、Ｒｐと、第２の期間に対応する空調効率Ｒａ'とに基づいて、第１の区域又は第２の区域の電力消費量を算出する。【選択図】図２
2019211973.tif 000002
【特許請求の範囲】
【請求項１】
電源設備、空調設備及び通信設備を含む施設において計測された全体の電力消費量Ｗｘの履歴の中で小さい順に一部のＷｘを特定する第１の特定部と、
特定されたＷｘごとに、当該Ｗｘが計測された第１の期間における前記施設の所在地の気温に対応する空調効率Ｒａを特定する第２の特定部と、
前記通信設備の電力消費量Ｗｃを前記空調設備の電力消費量Ｗａで除した値が前記空調効率Ｒａであり、前記電源設備によるＷｘの損失率がＲｐである場合にＷｃ＋Ｗａ＋（Ｗｘ×Ｒｐ）＝Ｗｘであるという関係に対して、前記第１の特定部によって特定された各Ｗｘと、前記第２の特定部によって特定された各Ｒａとを当てはめて、前記施設における第１の区域を除く第２の区域における前記通信設備の電力消費量であるＷｃ'を算出する第１の算出部と、
前記履歴の中で第２の期間に対応する前記Ｗｘと、前記Ｗｃ'と、前記Ｒｐと、前記第２の期間に対応する空調効率Ｒａ'とに基づいて、前記第１の区域又は前記第２の区域の電力消費量を算出する第２の算出部と、
を有することを特徴とする電力消費量算出装置。
【請求項２】
前記第１の特定部は、前記履歴の中で小さい順に複数のＷｘを特定し、
前記第１の算出部は、前記第１の特定部によって特定された各Ｗｘに基づいて算出される前記Ｗｃ'の平均値を算出し、
前記第２の算出部は、前記履歴の中で第２の期間に対応する前記Ｗｘと、前記平均値と、前記Ｒｐと、前記第２の期間に対応する空調効率Ｒａ'とに基づいて、前記第１の区域又は前記第２の区域の電力消費量を算出する、
ことを特徴とする請求項１記載の電力消費量算出装置。
【請求項３】
前記第２の算出部は、前記電源設備による電力消費量がＷｐであり、前記第１の区域の電力消費量がＷｏである場合に、
Ｗａ＝Ｗｃ／Ｒａ
Ｗｐ＝Ｗｘ×Ｒｐ
Ｗｏ＝Ｗｘ―Ｗｐ―Ｗａ―Ｗｃ'
とういう関係に基づいて、前記第１の区域又は前記第２の区域の電力消費量を算出する、
ことを特徴とする請求項１又は２記載の電力消費量算出装置。
【請求項４】
電源設備、空調設備及び通信設備を含む施設において計測された全体の電力消費量Ｗｘの履歴の中で小さい順に一部のＷｘを特定する第１の特定手順と、
特定されたＷｘごとに、当該Ｗｘが計測された第１の期間における前記施設の所在地の気温に対応する空調効率Ｒａを特定する第２の特定手順と、
前記通信設備の電力消費量Ｗｃを前記空調設備の電力消費量Ｗａで除した値が前記空調効率Ｒａであり、前記電源設備によるＷｘの損失率がＲｐである場合にＷｃ＋Ｗａ＋（Ｗｘ×Ｒｐ）＝Ｗｘであるという関係に対して、前記第１の特定手順によって特定された各Ｗｘと、前記第２の特定手順によって特定された各Ｒａとを当てはめて、前記施設における第１の区域を除く第２の区域における前記通信設備の電力消費量であるＷｃ'を算出する第１の算出手順と、
前記履歴の中で第２の期間に対応する前記Ｗｘと、前記Ｗｃ'と、前記Ｒｐと、前記第２の期間に対応する空調効率Ｒａ'とに基づいて、前記第１の区域又は前記第２の区域の電力消費量を算出する第２の算出手順と、
をコンピュータが実行することを特徴とする電力消費量算出方法。
【請求項５】
前記第１の特定手順は、前記履歴の中で小さい順に複数のＷｘを特定し、
前記第１の算出手順は、前記第１の特定手順によって特定された各Ｗｘに基づいて算出される前記Ｗｃ'の平均値を算出し、
前記第２の算出手順は、前記履歴の中で第２の期間に対応する前記Ｗｘと、前記平均値と、前記Ｒｐと、前記第２の期間に対応する空調効率Ｒａ'とに基づいて、前記第１の区域又は前記第２の区域の電力消費量を算出する、
ことを特徴とする請求項４記載の電力消費量算出方法。
【請求項６】
前記第２の算出手順は、前記電源設備による電力消費量がＷｐであり、前記第１の区域の電力消費量がＷｏである場合に、
Ｗａ＝Ｗｃ／Ｒａ
Ｗｐ＝Ｗｘ×Ｒｐ
Ｗｏ＝Ｗｘ―Ｗｐ―Ｗａ―Ｗｃ'
とういう関係に基づいて、前記第１の区域又は前記第２の区域の電力消費量を算出する、
ことを特徴とする請求項４又は５記載の電力消費量算出方法。
【請求項７】
請求項４乃至６いずれか一項記載の電力消費量算出方法をコンピュータに実行させることを特徴とするプログラム。
【発明の詳細な説明】
【技術分野】
【０００１】
本発明は、電力消費量算出装置、電力消費量算出方法及びプログラムに関する。
【背景技術】
【０００２】
データセンタのような通信設備が運用される施設において、複数の通信サービスが混在して提供されている場合に、施設一括で電力消費量を把握していても、設備量等の情報から、各通信サービス、電源設備、空調設備それぞれの電力消費量を求めることができる（特許文献１）。
【先行技術文献】
【特許文献】
【０００３】
【特許文献１】特許第６０２３０２２号公報
【非特許文献】
【０００４】
【非特許文献１】杉浦徳広、「サーバ室の電力分析による空調効率」、学術情報処理研究、No.19、pp12-18、2015
【発明の概要】
【発明が解決しようとする課題】
【０００５】
しかしながら、通信設備が運用されるスペース（以下、「機械室スペース」という。）と、事務室スペースとが混在する施設において、施設一括で電力消費量を把握している場合がある。この場合、全て機械室スペースの電力消費量であることを前提とする特許文献１では、機械室スペース、事務室スペースそれぞれの電力消費量を把握することが困難である。
【０００６】
本発明は、上記の点に鑑みてなされたものであって、施設における特定の区域の電力消費量を把握可能とすることを目的とする。
【課題を解決するための手段】
【０００７】
そこで上記課題を解決するため、電力消費量算出装置は、電源設備、空調設備及び通信設備を含む施設において計測された全体の電力消費量Ｗｘの履歴の中で小さい順に一部のＷｘを特定する第１の特定部と、特定されたＷｘごとに、当該Ｗｘが計測された第１の期間における前記施設の所在地の気温に対応する空調効率Ｒａを特定する第２の特定部と、前記通信設備の電力消費量Ｗｃを前記空調設備の電力消費量Ｗａで除した値が前記空調効率Ｒａであり、前記電源設備によるＷｘの損失率がＲｐである場合にＷｃ＋Ｗａ＋（Ｗｘ×Ｒｐ）＝Ｗｘであるという関係に対して、前記第１の特定部によって特定された各Ｗｘと、前記第２の特定部によって特定された各Ｒａとを当てはめて、前記施設における第１の区域を除く第２の区域における前記通信設備の電力消費量であるＷｃ'を算出する第１の算出部と、前記履歴の中で第２の期間に対応する前記Ｗｘと、前記Ｗｃ'と、前記Ｒｐと、前記第２の期間に対応する空調効率Ｒａ'とに基づいて、前記第１の区域又は前記第２の区域の電力消費量を算出する第２の算出部と、を有する。
【発明の効果】
【０００８】
施設における特定の区域の電力消費量を把握可能とすることができる。
【図面の簡単な説明】
【０００９】
【図１】本発明の実施の形態における電力消費量算出装置１０のハードウェア構成例を示す図である。
【図２】本発明の実施の形態における電力消費量算出装置１０の機能構成例を示す図である。
【図３】本実施の形態における各種電力消費量の関係を説明するための図である。
【図４】電力消費量算出装置１０が実行する処理手順の一例を説明するためのフローチャートである。
【図５】空調効率ＤＢ１２３の構成例を示す図である。
【発明を実施するための形態】
【００１０】
以下、図面に基づいて本発明の実施の形態を説明する。図１は、本発明の実施の形態における電力消費量算出装置１０のハードウェア構成例を示す図である。図１の電力消費量算出装置１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００１１】
電力消費量算出装置１０での処理を実現するプログラムは、ＣＤ−ＲＯＭ等の記録媒体１０１によって提供される。プログラムを記憶した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１２】
メモリ装置１０３は、プログラムの起動指示があった場合に、補助記憶装置１０２からプログラムを読み出して格納する。ＣＰＵ１０４は、メモリ装置１０３に格納されたプログラムに従って電力消費量算出装置１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等で構成され、様々な操作指示を入力させるために用いられる。
【００１３】
図２は、本発明の実施の形態における電力消費量算出装置１０の機能構成例を示す図である。図２において、電力消費量算出装置１０は、入力部１１、通信設備電力消費量算出部１２、空調設備電力消費量算出部１３、電源設備電力消費量算出部１４、事務室電力消費量算出部１５及び出力部１６等を有する。これら各部は、電力消費量算出装置１０にインストールされた１以上のプログラムが、ＣＰＵ１０４に実行させる処理により実現される。電力消費量算出装置１０は、また、施設電力消費量ＤＢ１２１、気温ＤＢ１２２、空調効率ＤＢ１２３及び電源損失率ＤＢ１２４等のデータベース（記憶部）を利用する。これら各データベースは、例えば、補助記憶装置１０２、又は電力消費量算出装置１０にネットワークを介して接続可能な記憶装置等を用いて実現可能である。
【００１４】
施設電力消費量ＤＢ１２１には、過去の所定期間（例えば、１年間）において、所定の単位時間（例えば、１時間以下の単位時間。以下、「計測単位時間」という。）ごとに或る施設（以下、「施設ｘ」という。）において計測された、施設ｘの全体の電力消費量（以下、「施設電力消費量Ｗｘ」という。）の履歴が記憶されている。施設ｘは、例えば、データセンタのような通信設備（通信サービス等を提供するための通信機器群）が運用される施設であり、当該通信設備等を冷却するための空調設備、及び商用電源からの供給電力を当該通信設備及び当該空調設備等の各種設備に対して分配する電源設備等を含む。また、施設ｘは、通信サービスの提供に利用される通信設備が運用される区域（以下、「機械室スペース」という。）のみならず、それ以外の（機械室スペースを除く）区域（以下、「事務室スペース」という。）をも含む。事務室スペースは、例えば、職員等が事務作業を行うためのスペースや、エレベータや階段等の共用スペース等を含む。
【００１５】
なお、本実施の形態では、電源設備による電力消費量（電源設備電力消費量）を「Ｗｐ」で表し、空調設備による電力消費量（空調設備電力消費量）を「Ｗａ」で表し、通信設備による電力消費量（通信設備電力消費量）を「Ｗｃ」で表す。
【００１６】
図３は、本実施の形態における各種電力消費量の関係を説明するための図である。図３に示されるように、商用電源からの電力供給量が、施設電力消費量Ｗｘに相当する。施設電力消費量Ｗｘのうち、電源設備によってＷｐが消費されるため、空調設備及び通信設備への電力供給量は、Ｗｘ−Ｗｐである。Ｗｘ−Ｗｐのうち、空調設備に供給される電力量（空調設備による電力消費量）が、Ｗａであり、通信設備に供給される電力量（通信設備による電力消費量）が、Ｗｃである。
【００１７】
なお、Ｗａ＋Ｗｃのうちの一部が、事務室スペースによって消費される。すなわち、Ｗａのうちの一部は、事務室スペースにおける空調設備によって消費され、Ｗｃのうちの一部は、事務室スペースにおける通信設備によって消費される。事務室スペースにおける通信設備とは、通信サービスの提供に利用される通信設備ではなく、例えば、事務作業に関して利用される通信設備をいう。図３より、本実施の形態では、以下の関係が成立する。
Ｗｘ＝Ｗｐ＋Ｗａ＋Ｗｃ
図２に戻る。気温ＤＢ１２２には、少なくとも施設ｘの所在地における過去の所定期間（１年間）にわたる気温（外気温）の履歴が、単位時間ごと（例えば、１時間ごと）に記憶されている。
【００１８】
空調効率ＤＢ１２３には、空調設備の空調効率Ｒａについて、外気温との対応表が記憶されている。なお、本実施の形態において、空調効率Ｒａは、通信設備電力消費量Ｗｃと当該通信設備を冷却するのに要した空調設備電力消費量Ｗａとの比（すなわち、Ｒａ＝Ｗｃ／Ｗａ）として定義される。これは、エネルギー消費効率（ＣＯＰ）の考え方に基づく「冷房ＣＯＰ」の以下の定義式
冷房ＣＯＰ＝冷房能力（ｋｗ）÷冷房消費電力（ｋｗ）
において、「冷房能力」を「通信設備電力消費量Ｗｃ」とみなしたものである。
【００１９】
電源損失率ＤＢ１２４には、施設ｘの電源設備によってＷｘが損失（消費）される割合である電源損失率Ｒｐが記憶されている。すなわち、ＷｐをＷｘ及びＲｐで表すと、以下の通りである。
Ｗｐ＝Ｗｘ×Ｒｐ
なお、本実施の形態において、電源損失率Ｒｐは一定であるとする。
【００２０】
入力部１１、通信設備電力消費量算出部１２、空調設備電力消費量算出部１３、電源設備電力消費量算出部１４、事務室電力消費量算出部１５及び出力部１６の機能については、処理手順の説明において明らかにする。
【００２１】
以下、電力消費量算出装置１０が実行する処理手順について説明する。図４は、電力消費量算出装置１０が実行する処理手順の一例を説明するためのフローチャートである。
【００２２】
ステップＳ１０１において、入力部１１は、１年間等の所定期間において計測単位時間ごとに計測された施設電力消費量Ｗｘを取得する。すなわち、（所定期間÷計測単位時間）個のＷｘが取得される。
【００２３】
続いて、通信設備電力消費量算出部１２は、変数ｉに１を代入し、変数ＷＣに０を代入する（Ｓ１０２）。
【００２４】
続いて、通信設備電力消費量算出部１２は、取得されたＷｘ群の中で、昇順においてｉ番目（すなわち、小さい順にｉ番目）のＷｘ（ｍ）（Ｗｘ（ｍ）＞０）を特定し、特定されたＷｘ（ｍ）を変数Ｗｘ（ｍ）に代入する（Ｓ１０３）。したがって、ｉ＝１のときのＷｘ（ｍ）は、当該Ｗｘ群の中で最小のＷｘである。
【００２５】
本実施の形態では、Ｗｘ（ｍ）を機械室スペースの電力消費量とみなす。すなわち、１年間等の所定期間においてＷｘが最小となる期間は、施設ｘの法定点検のため、施設ｘにおいて停電が発生する期間であると考えられる。この期間において、事務室スペースは、停電の対象区域となるが、通信サービスを停止することはできないため、機械室スペースは停電とはならない。したがって、Ｗｘ（ｍ）の期間において、事務室スペースの電力消費量は０になると考えることができ、Ｗｘ（ｍ）は、機械室スペースにおける電力消費量とみなすことができる。なお、このような観点から、事務室スペースは、法定点検において電力が供給されない区域（停電となる区域）であるということもできる。
【００２６】
続いて、通信設備電力消費量算出部１２は、ｉが閾値Ｎ（Ｎ＞１）以下であるか否かを判定する（Ｓ１０４）。ステップＳ１０４の意義については後述する。
【００２７】
ｉが閾値Ｎ以下である場合（Ｓ１０４でＹｅｓ）、通信設備電力消費量算出部１２は、Ｗｘ（ｍ）となる期間（計測単位時間）における外気温Ｔｍを気温ＤＢ１２２から取得し（Ｓ１０５）、Ｔｍに対応する空調効率Ｒａ（ｍ）を空調効率ＤＢ１２３から取得する（Ｓ１０６）。
【００２８】
図５は、空調効率ＤＢ１２３の構成例を示す図である。図５に示されるように、空調効率ＤＢ１２３には、各外気温に対応する空調効率Ｒａが記憶されている。Ｔｍに完全一致する外気温を含むレコードが空調効率ＤＢ１２３に記憶されていない場合には、Ｔｍに最も近い外気温を含むレコードの空調効率Ｒａが、Ｒａ（ｍ）として取得されればよい。なお、外気温に対応する空調効率Ｒａは、主に使用される空調機の空調効率のカタログ値を参考にされてもよいし、実験等によって求められてもよい（非特許文献１）。
【００２９】
続いて、通信設備電力消費量算出部１２は、電源損失率Ｒｐを電源損失率ＤＢ１２４から取得する（Ｓ１０７）。続いて、通信設備電力消費量算出部１２は、次式より、通信設備電力消費量Ｗｃと、Ｗｘ（ｍ）の期間における空調設備電力消費量Ｗａ（ｍ）とを算出する（Ｓ１０８）。
Ｒａ（ｍ）＝Ｗｃ／Ｗａ（ｍ）
Ｗｃ＋Ｗａ（ｍ）＋（Ｗｘ（ｍ）×Ｒｐ）＝Ｗｘ（ｍ）
すなわち、上記の連立方程式に対して、ステップＳ１０３において特定されたＷｘ（ｍ）、ステップＳ１０６において取得されたＲａ、ステップＳ１０７において取得されたＲｐを代入することで、Ｗｃ及びＷｘ（ｍ）を算出することができる。なお、ここで算出されるＷｃは、事務室スペースが停電中の値であるため、機械室スペースにおけるＷｃであるとみなされる。
【００３０】
続いて、通信設備電力消費量算出部１２は、変数ｉに１を加算すると共に、変数ＷＣにＷｃを加算して（Ｓ１０９）、ステップＳ１０３以降を繰り返す。
【００３１】
したがって、ステップＳ１０３〜Ｓ１０９は、Ｎ回繰り返される。ステップＳ１０４において、ｉがＮを超えると（Ｓ１０９でＮｏ）、通信設備電力消費量算出部１２は、ＷＣをＮで除することで、Ｗｃ'を算出する（Ｓ１１０）。すなわち、Ｗｃ'は、Ｎ回のステップＳ１０８において算出されたＷｃ（すなわち、小さい順に一部（Ｎ個）のＷｘに基づくＷｃ）の平均値である。Ｗｃについて平均値を算出するのは、本実施の形態において、Ｗｃは、所定期間中一定であると仮定しており、小さい順に複数のＷｘによってＷｃ'を算出することで、Ｗｃの誤差を小さくするためである。
【００３２】
すなわち、ステップＳ１０４の条件は、最小に近い複数のＷｘをＷｃ'の算出に用いるための条件である。したがって、この趣旨に合致した条件であれば、他の条件によって、ステップＳ１０４の条件が置き換えられてもよい。例えば、ｉ番目に特定されたＷ（ｍ）と、最小のＷ（ｍ）（すなわち、１番目に特定されたＷ（ｍ））との差の絶対値が、閾値α（α＞０）未満であるか否かが判定され、当該絶対値が閾値α未満であれば、ステップＳ１０５以降が実行され、当該絶対値が閾値α以上であれば、ステップＳ１１０が実行されるようにしてもよい。
【００３３】
但し、最小のＷｘ（ｍ）のみが用いられてもよい。すなわち、ステップＳ１０３〜Ｓ１０９は１回だけ実行されてもよい。この場合、以降のＷｃ'は、当該Ｗｘ（ｍ）に置き換えられればよい。
【００３４】
続いて、空調設備電力消費量算出部１３は、日時ｂの空調設備電力消費量Ｗａ（ｂ）を、次式を用いて算出する（Ｓ１１１）。
Ｗａ（ｂ）＝Ｗｃ'／Ｒａ（ｂ）
ここで、Ｗａ（ｂ）は、Ｗｃ'に基づくため、機械室スペースにおける日時ｂの空調設備電力消費量である。なお、日時（ｂ）とは、所定期間内の任意の時期を開始時点とし、計測単位時間と同じ時間幅を有する期間である。例えば、日時（ｂ）の開始時点は、図４の処理手順の開始時にユーザによって指定されてもよいし、予め設定されていてもよい。なお、Ｒａ（ｂ）は、日時（ｂ）の外気温を気温ＤＢ１２２から取得し、当該外気温に対応する空調効率Ｒａを空調効率ＤＢ１２３から取得することで特定することができる。
【００３５】
続いて、電源設備電力消費量算出部１４は、日時ｂの電源設備電力消費量Ｗｐ（ｂ）を、次式を用いて算出する（Ｓ１１２）。
Ｗｐ（ｂ）＝Ｗｘ（ｂ）×Ｒｐ
続いて、事務室電力消費量算出部１５は、日時ｂの事務室電力消費量Ｗｏ（ｂ）を、次式を用いて算出する（Ｓ１１３）。
Ｗｏ（ｂ）＝Ｗｘ（ｂ）−Ｗｐ（ｂ）−Ｗａ（ｂ）−Ｗｃ'
すなわち、Ｗｘ（ｂ）から、Ｗｐ（ｂ）と、機械室スペースにおけるＷａ（ｂ）と、機械室スペースにおけるＷｃ'とを差し引くことで、事務室スペースにおける日時ｂの電力消費量が算出される。なお、本実施の形態では、電源設備電力消費量Ｗｐについては、機械室スペースに対して事務室スペースでは無視出来るほど小さいとの仮定に基づき、Ｗｐ（ｂ）の全部が、日時ｂの機械室スペースにおけるＷｐとされている。
【００３６】
なお、事務室電力消費量算出部１５は、ステップＳ１１２において、次式を用いて機械室電力消費量Ｗｄ（ｂ）を算出してもよい。
Ｗｄ（ｂ）＝Ｗｐ（ｂ）＋Ｗａ（ｂ）＋Ｗｃ'
事務室電力消費量算出部１５は、Ｗ（ｄ）の算出後に、次式を用いて事務室電力消費量Ｗｏ（ｂ）を算出してもよい。
Ｗｏ（ｂ）＝Ｗｘ（ｂ）−Ｗｄ（ｂ）
続いて、出力部１６は、Ｗｃ'、Ｗａ（ｂ）、Ｗｐ（ｂ）及びＷｏ（ｂ）を出力する。出力形態は、所定の形態に限定されない。表示装置１０６へ表示されてもよいし、補助記憶装置１０２に記憶されてもよいし、ネットワークを介して送信されてもよい。また、Ｗｄ（ｂ）が、Ｗａ（ｂ）の代わりに、又はＷａ（ｂ）と共に出力対象とされてもよい。
【００３７】
上述したように、本実施の形態によれば、事務室スペース又は機械室スペース等、施設における特定の区域の電力消費量を把握可能とすることができる。その結果、例えば、当該施設における電力消費要因の見える化等を可能とすることができる。
【００３８】
なお、自身が消費する電力量を計測する機能を持つ通信設備を使用している場合など、通信設備の電力消費量Ｗｃが既知の場合には、空調効率ＤＢ１２３を不要とすることもできる。
【００３９】
なお、本実施の形態において、通信設備電力消費量算出部１２は、第１の特定部、第２の特定部及び第１の算出部の一例である。空調設備電力消費量算出部１３、電源設備電力消費量算出部１４及び事務室電力消費量算出部１５は、第２の算出部の一例である。事務室スペースは、第１の区域の一例である。機械室スペースは、第２の区域の一例である。Ｗｘ（ｍ）の期間は、第１の期間の一例である。日時ｂは、第２の期間の一例である。
【００４０】
以上、本発明の実施の形態について詳述したが、本発明は斯かる特定の実施形態に限定されるものではなく、特許請求の範囲に記載された本発明の要旨の範囲内において、種々の変形・変更が可能である。
【符号の説明】
【００４１】
１０          電力消費量算出装置
１１          入力部
１２          通信設備電力消費量算出部
１３          空調設備電力消費量算出部
１４          電源設備電力消費量算出部
１５          事務室電力消費量算出部
１６          出力部
１００        ドライブ装置
１０１        記録媒体
１０２        補助記憶装置
１０３        メモリ装置
１０４        ＣＰＵ
１０５        インタフェース装置
１０６        表示装置
１０７        入力装置
１２１        施設電力消費量ＤＢ
１２２        気温ＤＢ
１２３        空調効率ＤＢ
１２４        電源損失率ＤＢ
Ｂ            バス
【図１】
2019211973.tif 000003
【図２】
2019211973.tif 000004
【図３】
2019211973.tif 000005
【図４】
2019211973.tif 000006
【図５】
2019211973.tif 000007